(57)【特許請求の範囲】
【請求項１】
炊飯鍋内と外部間の蒸気路に組み込まれた調圧弁と、ソレノイドコイルの駆動軸に連結されたスライダと、このスライダの移動を上記駆動軸の進退方向に規制するガイドと、フック解除操作が伝達される蓋フックの操作伝達部とを備え、上記スライダは、上記ガイドに進退方向に案内される両側枠部と、両側枠部を進退方向の同側で繋ぐ両接続枠部と、進退方向と直交する方向の一方側に設けられたロック部とを有し、上記ソレノイドコイルは上記両側枠部の間に配置され、上記両接続枠部のうち調圧弁側の接続枠部は弁操作用軸が設けられると共に上記駆動軸に連結され、上記ロック部及び弁操作用軸は、上記駆動軸の進退により、上記操作伝達部のフック解除位置への変位を阻止し、かつ上記調圧弁の閉弁を許すロック位置と、該操作伝達部のフック解除位置への変位を許し、かつ該調圧弁を強制開弁するロック解除位置とを往復移動させられる圧力式炊飯器において、上記両接続枠部のうち蓋フック側の接続枠部は、上記往復移動のときに上記ソレノイドコイルの上方乃至下方に形成された空間を通り、上記スライダの蓋フック側の端部は、該スライダがロック位置にある状態で上記ソレノイドコイルの蓋フック側の端部よりも調圧弁側にあることを特徴とする圧力式炊飯器。
【請求項２】
上記蓋フック側の接続枠部が上記ソレノイドコイルの上方を通る請求項１に記載の圧力式炊飯器。
【発明の詳細な説明】
【技術分野】
【０００１】
この発明は、炊飯鍋内の圧力を蓋に設けた調圧弁で制御可能な圧力式炊飯器に関する。
【背景技術】
【０００２】
この種の圧力式炊飯器は、炊飯鍋内と外部間の蒸気路に組み込まれた少なくとも１つの調圧弁の全てが閉弁することにより、炊飯工程の途中で炊飯鍋内の圧力を大気圧より高くした加圧状態を生じさせ（以下、この状態を加圧炊飯状態という）、その圧力を調圧弁の開閉制御により所定の値に制御することが可能になっている。蓋が加圧炊飯状態で開放されることを阻止するため、蓋内には、安全開放装置が組み込まれている。
【０００３】
従来、上記の安全開放装置としては、調圧弁設置室内に収まる調圧弁と、ソレノイドコイルの駆動軸に連結されたスライダと、スライダの移動を駆動軸の進退方向に規制するガイドと、フック解除操作が伝達される蓋フックの操作伝達部とからなるものが利用されている（特許文献１）。
【０００４】
特許文献１に記載された圧力式炊飯器は、スライダは、枠状を成し、上記スライダは、上記ガイドと摺動する両側枠部と、両側枠部を進退方向の同側で繋ぐ両接続枠部と、進退方向と直交する方向の一方側に突き出たロック部とを有している。ソレノイドコイルは、枠孔の内側に配置されている。スライダは、両側枠部とガイドの摺動により、安全装置としての機能上、所定の振れ幅内で確実に移動させられるようになっている。ここで、両側枠部の剛性は、スライダの案内やロック部の位置決め強度に影響するため、両接続枠部で繋ぐことにより、スライドを枠状とし、剛性を高めている。
両接続枠部のうち調圧弁側の接続枠部は、弁操作用軸が設けられると共に駆動軸に連結されている。ロック部及び弁操作用軸は、駆動軸の進退により、蓋のフック解除ボタンが押し下げられても操作伝達部のフック解除位置への変位が阻止され、かつ上記調圧弁が閉弁を許されるロック位置と、該操作伝達部のフック解除位置への変位が許され、かつ該調圧弁が強制開弁されるロック解除位置とを往復移動する。ロック位置においては、蓋フックの係合が外れず、加圧炊飯状態を行なうことができると共に、その間の蓋開放を確実に防ぎ、ロック解除位置においては、蓋の開放が可能になると共に、炊飯鍋内の減圧が行われた条件下での蓋開放を確実にすることができる。
【０００５】
また、特許文献１に記載された圧力式炊飯器は、枠状にしたスライダの両側枠部の間を利用してソレノイドコイルを配置することにより、ソレノイドコイルとスライダをまとまりよく配置し、蓋内に他の部品の設置空間を得易くしている。
さらに、スライダの進退方向と直交する方向の一方側に突き出たロック部を設けることにより、他方の側枠部を蓋内の他方側の端部にできるだけ近づけて配置することを可能とし、ひいては、ソレノイドコイル、調圧弁、スライダを蓋内の他方側の端部にできるだけ近づけて配置することが可能になり、ソレノイドコイル等と蓋内の一方側の端部との間に他の部品の設置空間を得易くしている。また、蓋のフック解除ボタンに対応して設けられた蓋フックの操作伝達部とソレノイドコイル及び上記調圧弁との非直線配置を可能にしている。
【０００６】
【特許文献１】特開２００６−２０９６２号公報
【発明の開示】
【発明が解決しようとする課題】
【０００７】
しかしながら、特許文献１に記載された圧力式炊飯器は、上記のように安全開放装置を蓋の他方側にできるだけ片寄せて配置することが容易だが、蓋フック側の接続枠部の往復ストロークを考慮し、蓋フックの操作伝達部から調圧弁側に遠ざけて配置する必要があり、スライダの枠孔内に配置されたソレノイドコイルも蓋フックから調圧弁側に遠ざかり、結果的に調圧弁も蓋フックから遠ざかるため、蓋のコンパクト化を妨げる点で改良の余地がある。
【０００８】
上記の事情に鑑み、この発明の課題は、蓋が加圧炊飯状態で開放されることを阻止する安全開放装置を蓋フック側により近づけて配置することである。
【課題を解決するための手段】
【０００９】
上記課題を解決するこの発明は、炊飯鍋内と外部間の蒸気路に組み込まれた調圧弁と、ソレノイドコイルの駆動軸に連結されたスライダと、このスライダの移動を上記駆動軸の進退方向に規制するガイドと、フック解除操作が伝達される蓋フックの操作伝達部とを備え、上記スライダは、上記ガイドに進退方向に案内される両側枠部と、両側枠部を進退方向の同側で繋ぐ両接続枠部と、進退方向と直交する方向の一方側に設けられたロック部とを有し、上記ソレノイドコイルは上記両側枠部の間に配置され、上記両接続枠部のうち調圧弁側の接続枠部は弁操作用軸が設けられると共に上記駆動軸に連結され、上記ロック部及び弁操作用軸は、上記駆動軸の進退により、上記操作伝達部のフック解除位置への変位を阻止し、かつ上記調圧弁の閉弁を許すロック位置と、該操作伝達部のフック解除位置への変位を許し、かつ該調圧弁を強制開弁するロック解除位置とを往復移動させられる圧力式炊飯器において、上記両接続枠部のうち蓋フック側の接続枠部は、上記往復移動のときに上記ソレノイドコイルの上方乃至下方に形成された空間を通り、上記スライダの蓋フック側の端部は、該スライダがロック位置にある状態で上記ソレノイドコイルの蓋フック側の端部よりも調圧弁側にある構成を特徴とする。
ここで、フック位置とは、蓋フックと器体肩部とが係合して蓋が閉じた状態に維持する蓋フックの位置をいう。フック解除位置とは、上記係合が解除される蓋フックの位置をいう。
【００１０】
すなわち、蓋フック側の接続枠部を、上記往復移動のときにソレノイドコイルの上方乃至下方に形成された空間を通るようにすれば、両側枠部やロック部を含む上記スライダの蓋フック側の端部は、該スライダがロック位置にある状態で、上記ソレノイドコイルの蓋フック側の端部よりも調圧弁側にあるように構成することが可能になる。この構成を採用すれば、スライダは、往復移動のとき、ソレノイドコイルより蓋フック側で往復する部分がなくなり、前掲の特許文献１のものより、スライダを蓋フックに近づけて配置することができる。
ソレノイドコイルの駆動軸は、調圧弁側の接続枠部に連結されているため、蓋フック側に突き出ない。すなわち、スライダとソレノイドコイルのロック位置における関係を上記のようにすれば、ソレノイドコイルを蓋フック側により近づけて配置することができる。
したがって、この発明によれば、ソレノイドコイルを基準として安全開放装置を蓋フック側により近づけて配置することができる。
【００１１】
上記蓋フック側の接続枠部が上記ソレノイドコイルの上方乃至下方に形成された空間を通る具体的構成としては、ソレノイドコイルの上方の空間を通る構成、ソレノイドコイルの下方の空間を通る構成、ソレノイドコイルの上方の空間及び下方の空間を通る構成が挙げられる。
中でも、蓋フック側の接続枠部がソレノイドコイルの上方を通る構成が好ましい。ソレノイドコイルの上方にある蓋の内部空間を移動空間に利用できるため、蓋内の底面に移動空間を形成することに伴う構造変更が避けられる。
【発明の効果】
【００１２】
上述のように、この発明に係る圧力式炊飯器は、ソレノイドコイルから蓋フック側に移動ストロークを確保する必要性がなくなり、安全開放装置を蓋フック側により近づけて配置することができる。
【発明を実施するための最良の形態】
【００１３】
以下、この発明の第１実施形態に係る圧力式炊飯器を添付図面に基づいて説明する。
図１は、第１実施形態に係る圧力式炊飯器の蓋内の底面のみを斜め上方から示している。他の構成については、圧力式炊飯器として周知の構成を適宜に採用することができるため、図示及び説明を省略する。
図２（ａ）は、安全開放装置がロック位置にある状態を上方から示している。図２（ｂ）は、安全開放装置がロック解除位置にある状態を上方から示している。
図３は、図２（ａ）のＩＩＩ−ＩＩＩ線の切断面を示している。
【００１４】
図１〜図３に示すように、第１実施形態に係る圧力式炊飯器は、上蓋部材１０と下蓋部材１１が上下に結合されて蓋の内部空間が形成されている。下蓋部材１１の上側に補強板１２が添え付けられている。
【００１５】
補強板１２は、一枚のステンレス鋼板から形成され、下蓋部材１１の幅方向両側に形成されたリブ構造部にねじ止めされるフランジ１２ａ、１２ａの縦壁間を平板部１２ｂで繋いだ形状になっている。フランジ１２ａ、１２ａの縦壁の長さ方向一端部に、蓋フック１３のフック回転軸１３ａを通す軸支持部１２ｃ、１２ｃが形成されている。フランジ１２ａ、１２ａの縦壁の長さ方向他端部に、蓋ヒンジ軸を通す軸支持部１２ｄ、１２ｄが形成されている。補強板１２の平板部１２ｂに、下蓋部材１１の上面を部分的に露出させる空所が形成されている。補強板１２の空所からは、調圧弁２０が内部に組込まれる調圧弁設置室２１、安全開放装置の組み立て用のねじ孔部等が上側に突き出している。
【００１６】
蓋は、蓋フック１３のフック部１３ｂが器体肩部から外れるフック解除位置になると、蓄積された蓋ヒンジばねの付勢力により自然と開き切るようになっている。蓋フック１３は、蓋のフック解除ボタン１４が押し下げられると、調圧弁２０側に突き出た操作伝達部１３ｃがフック解除ボタン１４により押し下げられる解除操作の伝達により、フック解除位置に移動する。フック解除ボタン１４による押し下げがなくなると、フック回転軸回りに蓄積されたばね付勢力により自然とフック部１３ｂが器体肩部に係合し、蓋を閉じた状態に維持するフック位置に戻る。
【００１７】
この第１実施形態では、調圧弁２０の他に、別の調圧弁が設けられている。その別の調圧弁により、通常の炊飯圧力の制御が行なわれる。調圧弁２０は、別の調圧弁の最大開弁圧力より高い圧力で開弁する安全弁として機能するようになっている。炊飯工程の途中で、両調圧弁が閉弁し、炊飯鍋内が大気圧より高い加圧炊飯状態になる。別の調圧弁の方を安全開放装置に使用することもできる。
【００１８】
調圧弁設置室２１は、下蓋部材１１に設けられており、炊飯鍋内と外部間の蒸気路の一部となっている。調圧弁設置室２１内に収まる調圧弁２０は、ボール弁体２２の自重で弁孔２３を塞ぐボール弁からなる。ボール弁体２２は、弁座２４と弁室部材２５とで弁座２４上から外れないように位置決めされている。調圧弁２０が開弁すると、炊飯鍋内で発生した蒸気が蒸気路を経ておねば分離室に流入し、やがて蒸気口カバーに空いた蒸気孔を経て大気に開放される。なお、調圧弁２０は、室外から弁体の開閉動作を制御することが可能であれば弁形式を問わない。
【００１９】
蓋内に組み込まれる安全開放装置は、調圧弁２０と、ソレノイドコイル３０の駆動軸３１に連結されたスライダ４０と、このスライダ４０の移動を駆動軸３１の進退方向に規制するガイド５１、５２と、蓋フック１３の操作伝達部１３ｃとからなる。
【００２０】
スライダ４０は、図１、図２（ａ）、（ｂ）、図４（ａ）、（ｂ）、（ｃ）に示すように、枠状を成し、補強板１２の平板部１２ｂより上に突き出たガイド５１、５２に進退方向に案内される両側枠部４１、４２と、両側枠部４１、４２を進退方向の同側で繋ぐ両接続枠部４３、４４と、進退方向と直交する方向の一方側に設けられたロック部４５とを有している。スライダ４０は、一体射出成形されている。部品数の増大を防止するためである。
【００２１】
側枠部４１は、スライダ４０の進退方向と直交する方向の一方側においてガイド５１との摺動面が進退方向に一連で形成されたフレーム部分である。側枠部４２は、スライダ４０の他方側においてガイド５２との摺動面が進退方向に一連で形成されたフレーム部分である。両側枠部４１、４２は、補強板１２の平板部１２ｂの水平（蓋が閉じた状態で）な板面上を摺動するようになっている。
【００２２】
ソレノイドコイル３０は両側枠部４１、４２の間に配置されている。
【００２３】
両接続枠部４３、４４は、それぞれ両側枠部４１、４２を繋ぐフレーム部分である。調圧弁２０側の接続枠部４３は、弁操作用軸４３ａを一体に設けられると共に駆動軸３１に連結されている。弁操作用軸４３ａは、調圧弁設置室２１の室壁の一部を構成する弾性シール部材２１ａに突き当たっている。図３に示すように、弁孔２３を塞ぐボール弁体２２と弁操作用軸４３ａは、弾性シール部材２１ａを間において軸方向に対向する。駆動軸３１を弁操作用軸４３ａとしてもよい。
【００２４】
図２（ａ）、（ｂ）、図３に示すように、駆動軸３１は、ソレノイドコイル３０の励磁により、ソレノイドコイル３０に引き込まれるが、ソレノイドコイル３０から蓋フック１３側に突き出ることがない。ソレノイドコイル３０と調圧弁２０側の接続枠部４３の間に組み込まれたコイルばね３２は、駆動軸３１の引き込みに伴い圧縮される。ソレノイドの励磁がなくなると、コイルばね３２に蓄積されたばね力により、駆動軸３１が調圧弁２０側に突き出される。これにより、駆動軸３１がソレノイドコイル３０の制御により進退させられる結果、スライダ４０が往復移動するようになっている。
【００２５】
なお、駆動軸３１と弁操作用軸４３ａは、調圧弁２０を全体として蓋中央側に寄せるため、図４（ｂ）、（ｃ）に明示したように、弁操作用軸４３ａを進退方向と直交する方向の一端側に偏心量δを与えて連結されている。これは、圧力式炊飯器に付与した保温機能の性能を高めるためである。すなわち、図３、図５に示すように、調圧弁２０の弁孔２３は、下蓋部材１１の下側に取り付けられたヒータカバー１５に空いた孔１５ａに連通している。ヒータカバー１５の上側には、電熱ヒータとなるリード線１５ｂが外周に沿って添え付けられている。リード線１５ｂは、外周に近い程、ヒータカバー１５に長く配置することができ、ひいては発熱効率を高めて保温性能を向上させることができる。このため、孔１５ａをヒータカバー１５の外周から中央側に寄せるべく、調圧弁２０を全体として蓋中央側に寄せている。このような目的がなければ、図２（ａ）、（ｂ）に示す駆動軸３１と弁操作用軸４３ａは、同心に連結してもよい。
【００２６】
蓋フック１３側の接続枠部４４は、図１、図２（ａ）、（ｂ）に示すように、ソレノイドコイル３０の上方を跨ぐブリッジ状に設けられている。
【００２７】
ロック部４５は、一方側の側枠部４１から同側に突き出ている。この第１実施形態では、ロック部をスライダ４０の進退方向と直交する方向の一方側に設けるに際し、側枠部４１から同側に突き出したが、蓋フック１３側の接続枠部４４にロック部４５を設けることもできる。なお、この実施形態では、安全開放装置を上方から見て図中の左側に配置し、進退方向と直交する方向の一方側を図中の右側としたが、左右逆の関係にすることも勿論可能である。
【００２８】
図２（ａ）、（ｂ）、図６（ａ）、（ｂ）に示すように、操作伝達部１３ｃは、補強板１２の平板部１２ｂの上方まで突き出ている。ロック部４５は、一方側の側枠部４１の摺動面よりも一方側に突き出るように設けることで操作伝達部１３ｃと直線配置されている。
【００２９】
駆動軸３１の進退により、ロック部４５及び弁操作用軸４３ａは、図２（ａ）、図３に示すように、ロック部４５が操作伝達部１３ｃの回転半径上でフック解除位置への変位を阻止し、かつ弁操作用軸４３ａがボール弁体２２を押さず、調圧弁２０の閉弁を許すロック位置と、図２（ｂ）、図６（ｂ）に示すように、ロック部４５が操作伝達部１３ｃの回転半径上から調圧弁２０側に外れて操作伝達部１３ｃのフック解除位置への変位を許し、かつ弁操作用軸４３ａがボール弁体２２を弾性シール部材２１ａを介して押して弁孔２３から浮かせ、調圧弁２０を強制開弁させるロック解除位置とを往復移動させられる。
したがって、図２（ａ）、図３に示すロック位置においては、蓋フック１３の係合が外れず、加圧炊飯状態を行なうことができると共に、その間の蓋開放を確実に防ぐことができる。図２（ｂ）、図６（ｂ）に示すロック解除位置においては、蓋の開放が可能になると共に、炊飯鍋内の減圧が行われた条件下での蓋開放を確実にすることができる。なお、ソレノイドコイル３０の励磁によりロック位置に移動するようにしたのは、ソレノイドコイル３０が故障しても、コイルばね３２によりロック解除位置への移動を確保することができ、逆の関係のときより安全性に優れるためである。
【００３０】
蓋フック１３側の接続枠部４４は、図２（ａ）、（ｂ）から明らかなように、上記往復移動のときにソレノイドコイル３０の上方に形成された蓋内部空間を通り、スライダ４０がロック位置にある状態で、ソレノイドコイル３０の上方にある。また、スライダ４０がロック位置にある状態で、スライダ４０の蓋フック１３側の端部は、ソレノイドコイル３０の蓋フック１３側の端部よりも調圧弁２０側にある。スライダ４０の蓋フック１３側の端部は、スライダ４０のうち進退方向の蓋フック１３側の端を形成する部分であり、この第１実施形態では、接続枠部４４と、両側枠部４１、４２の蓋フック１３側の端部と、ロック部４５の蓋フック１３側の端部と、ロック部４５及び接続枠部４４から蓋フック１３側に突き出た回転規制部４６の蓋フック１３側の端部とで形成されている。
【００３１】
図４、図６（ａ）、（ｂ）に示すように、スライダ４０の回転規制部４６は、操作伝達部１３ｃの回転半径上に位置し、ロック部４５より低く、かつ蓋フック１３側に設けられている。図６（ｂ）に示すように、スライダ４０がロック解除位置にある状態で、回転規制部４６とロック部４５との高低差により、操作伝達部１３ｃのフック解除位置への変位を可能とし、操作伝達部１３ｃがフック解除位置に達した後に回転規制部４６と操作伝達部１３ｃとが接触するようになっている。これにより、フック解除後に操作伝達部１３ｃが不要に押し下げられることが回転規制部４６で阻止されている。また、回転規制部４６が平板部１２ｂの水平な板面より高くなるため、その分、平板部１２ｂの上蓋部材１０に対する取り付け位置を低くしても、上記蓋フック１３の回転規制を行なうことができる。その結果、補強板１２のフランジ１２ａ、１２ａの縦壁の平板部１２ｂからの高さを維持しながら、蓋の内部空間を拡げることができ、ひいては蓋を上下にコンパクトにすることができる。
【００３２】
上記構成を有する第１実施形態に係る圧力式炊飯器は、図２（ａ）、図３に示すように、ロック位置にあるスライダ４０の蓋フック１３側の端部は、ソレノイドコイル３０の蓋フック１３側の端部よりも調圧弁２０側にあり、ソレノイドコイル３０から駆動軸３１が蓋フック１３側に突き出ないため、ソレノイドコイル３０を蓋フック１３側により近づけて配置することができる。ひいては、ロック部４５が一方側の側枠部４１に設けられ、ソレノイドコイル３０と蓋フック１３の操作伝達部１３ｃとが上方から見て操作伝達部１３ｃが一方側にずれた非直線配置であることを利用し、図示から明らかなように、ソレノイドコイル３０を蓋フック１３の操作伝達部１３ｃの脇に位置するまで蓋フック１３側に近づけることができる。その分、調圧弁２０側で部品や構造部の配置スペースを得られるので、蓋長さ方向のコンパクト化を図ることが可能になる。
【００３３】
なお、この第１実施形態では、蓋フック１３側の接続枠部４４がソレノイドコイル３０の上方を通るようにしたが、図７、図８に第２実施形態を示すように、ソレノイドコイル３０の下方に下蓋部材１１の空所８２を形成し、その空所８２を接続枠部８１が通るようにすることもできる。なお、空所８２は、下蓋部材１１のヒータカバー１５上の領域に上下に開放されており、接続枠部８１をソレノイドコイル３０、空所８２に通した後、ヒータカバー１５を下蓋部材１１へ取り付ける前にシール部材８３で密封される。
【００３４】
上記第１実施形態では、蓋フック１３の操作伝達部１３ｃにロック部４５が直接係合することにより、ロック部４５で操作伝達部１３ｃのフック解除位置への変位を阻止する構成としたが、ロック部４５が間接的に操作伝達部１３ｃの上記変位を阻止する構成を採用することも勿論可能である。
例えば、フック解除ボタン１４の下端にロック部４５が係合する構成、フック解除ボタン１４と操作伝達部１３ｃの間に伝達リンクを設け、その伝達リンクにロック部４５が係合する構成を採用することも可能である。
【００３５】
以下、一例として、この発明の第３実施形態を図９に基づいて説明する。図示のように、第３実施形態では、フック解除ボタン１４’の下端に、蓋フック１３の操作伝達部１３ｃ’に解除操作を伝達する伝達用脚部１４ａと、ロック部４５’と係合するロック用脚部１４ｂとが形成されている。スライダ４０’がロック位置にある状態で、フック解除ボタン１４’のロック用脚部１４ｂの回転半径上にロック部４５’が位置し、これにより、フック解除ボタン１４’の押し下げがロック部４５’で阻止され、その結果、伝達用脚部１４ａが蓋フック１３の操作伝達部１３ｃ’を押し下げることができず、操作伝達部１３ｃ’のフック解除位置への変位が阻止される。スライダ４０’がロック解除位置にある状態で、回転規制部４６’とロック部４５’との高低差により、蓋フック１３の回転規制がフック解除ボタン１４’と回転規制部４６’においてなされる。
【図面の簡単な説明】
【００３６】
【図１】第１実施形態に係る圧力式炊飯器の蓋内の底面を斜め上方から示す要部斜視図
【図２】ａは図１のスライダがロック位置にある状態を上方から示す部分拡大平面図、ｂは図１のスライダがロック解除位置にある状態を上方から示す部分拡大平面図
【図３】図２（ａ）のＩＩＩ−ＩＩＩ線の切断面を示す部分拡大断面図
【図４】ａは図１のスライダの全体斜視図、ｂは図１のスライダの平面図、ｃは図１のスライダの後面図
【図５】図１の下蓋部材を下方から示す下面図
【図６】ａは図２（ａ）のＶＩ−ＶＩ線の切断面を示す部分拡大断面図、ｂは図２（ｂ）の前記ＶＩ−ＶＩ線と同じ切断面を示す部分拡大断面図
【図７】ａは第２実施形態のスライダがロック解除位置にある状態を上方から示す部分拡大平面図、ｂは第２実施形態のスライダがロック位置にある状態を前記ＶＩ−ＶＩ線と同じ切断面を示す部分拡大断面図
【図８】図７のスライダの全体斜視図
【図９】ａは第３実施形態のスライダがロック位置にある状態の前記ＶＩ−ＶＩ線と同じ切断面を示す部分拡大断面図、ｂは第３実施形態のスライダがロック解除位置にある状態の前記ＶＩ−ＶＩ線と同じ切断面を示す部分拡大断面図
【符号の説明】
【００３７】
１０  上蓋部材
１１  下蓋部材
１２  補強板
１２ａ  フランジ
１２ｂ  平板部
１２ｃ、１２ｄ  軸支持部
１３  蓋フック
１３ａ  フック回転軸
１３ｂ  フック部
１３ｃ、１３ｃ’  操作伝達部
１４、１４’  フック解除ボタン
１４ａ  伝達用脚部
１４ｂ  ロック用脚部
１５  ヒータカバー
１５ａ  孔
１５ｂ  リード線
２０  調圧弁
２１  調圧弁設置室
２１ａ  弾性シール部材
２２  ボール弁体
２３  弁孔
２４  弁座
２５  弁室部材
３０  ソレノイドコイル
３１  駆動軸
３２  コイルばね
４０、４０’  スライダ
４１、４２  側枠部
４３、４４、８１  接続枠部
４３ａ  弁操作用軸
４５、４５’  ロック部
４６、４６’  回転規制部
５１、５２  ガイド
８２  空所
８３  シール部材
【図１】
0004964745.tif 000002
【図２】
0004964745.tif 000003
【図３】
0004964745.tif 000004
【図４】
0004964745.tif 000005
【図５】
0004964745.tif 000006
【図６】
0004964745.tif 000007
【図７】
0004964745.tif 000008
【図８】
0004964745.tif 000009
【図９】
0004964745.tif 000010